(57)【要約】【課題】軽量で簡単に設置することができる止水装置を提供する。【解決手段】載置面の上に立設された壁面の開口部を止水する斜シート止水装置であって、前記載置面に対向する額縁型の底面枠と、前記開口部と対向する額縁型の背面枠と、前記底面枠の左右の前方端部と前記背面枠の左右の上方端部を結ぶ２本の斜面部材とを備え、少なくとも前記背面枠の左右の鉛直枠材と２本の前記斜面部材と前記底面枠の前方及び左右の側方の枠材の間が止水シートで覆われ、少なくとも前記背面枠の左右の鉛直枠材を覆う前記止水シートと前記壁面の間、及び前記底面枠の前方の枠材及び前記底面枠の左右の側方の枠材を覆う止水シートと前記載置面の間にシール部材を有する。【選択図】図１Ａ
2019206840.tif 000002
【特許請求の範囲】
【請求項１】
載置面の上に立設された壁面の開口部を止水する斜シート止水装置であって、
前記載置面に対向する額縁型の底面枠と、前記開口部と対向する額縁型の背面枠と、前記底面枠の左右の前方端部と前記背面枠の左右の上方端部を結ぶ２本の斜面部材とを備え、
少なくとも前記背面枠の左右の鉛直枠材と２本の前記斜面部材と前記底面枠の前方及び左右の側方の枠材の間が止水シートで覆われ、
少なくとも前記背面枠の左右の鉛直枠材を覆う前記止水シートと前記壁面の間、及び前記底面枠の前方の枠材及び前記底面枠の左右の側方の枠材を覆う前記止水シートと前記載置面の間にシール部材を有することを特徴とする斜シート止水装置。
【請求項２】
斜面になった前記止水シートを背面で支える支持部が備えられていることを特徴とする請求項１に記載の斜シート止水装置。
【請求項３】
前記斜面部材と前記底面枠と前記背面枠とが互いになす角度が可変であることを特徴とする請求項１又は２に記載の斜シート止水装置。
【請求項４】
前記底面枠と、前記背面枠と、前記斜面部材とをそれぞれ構成する部材の長さが必要に応じて可変であることを特徴とする請求項１乃至３何れか1項に記載の斜シート止水装置。
【請求項５】
前記背面枠への前記止水シートの取り付け部に面ファスナー又は前記止水シートの端部に紐を通す紐孔が備えられることを特徴とする請求項１乃至４何れか1項に記載の斜シート止水装置。
【請求項６】
前記斜シート止水装置を前記載置面へ向けて加圧する鉛直加圧部材が備えられることを特徴とする請求項１乃至５何れか1項に記載の斜シート止水装置。
【請求項７】
前記鉛直加圧部材が水を容れた水容器であることを特徴とする請求項6に記載の斜シート止水装置。
【請求項８】
張力発生器が前記斜面部材の間の後方の前記載置面又は前記載置面の上に敷かれた前記止水シートの上に置かれ、
前記張力発生器が鉛直面内で回動可能に軸支される回動部と、該回動部を回動可能に支える台座部とを備え、
前記回動部の前記斜面部材に近い部分が鉛直方向に加力され、
前記回動部の下端部と前記斜面部材又は２本の前記斜面部材の間の止水シートとが接続されて水平方向へ張力を加えることを特徴とする請求項１乃至５何れか1項に記載の斜シート止水装置。
【請求項９】
前記シール部材が、弾性を有する独泡材、内部に気体を充填された弾性を有する中空材、断面がＵ字型の弾性材の何れか又はこれらの組み合わせで構成されることを特徴とする請求項１乃至８何れかに記載の斜シート止水装置。
【請求項１０】
横方向へ隣接して置かれた複数の前記斜シート止水装置のそれぞれの前記底面枠及び前記背面枠が互いに接合可能に構成されることを特徴とする請求項１乃至９何れかに記載の斜シート止水装置。
【請求項１１】
載置面に立設された壁面の開口部へ前方から向かって来る水を止水する止水方法であって、
後方へ倒れて前記載置面に対して斜めに置かれる止水シートを有する斜シート止水装置を前記開口部の間へ展開し、
前記斜シート止水装置の左右の端部の後方部分と前記壁面の間が水密になるように水平方向へ加圧するとともに、
前記斜シート止水装置の底部と前記載置面との間が水密になるように前記載置面に向けて鉛直方向へ加圧して前記開口部の止水を行うことを特徴とする止水方法。
【発明の詳細な説明】
【技術分野】
【０００１】
本発明は、建物の外から流れ込む水を止水する斜シート止水装置に関する。
【背景技術】
【０００２】
従来、載置面へアンカーボルトなどで直立固定された止水枠板と、この止水枠板を被覆する防水布と、を備えた洪水防止用止水装置が提案されている（例えば、特許文献１参照）。特許文献１に記載された従来の止水装置は、洪水時に土嚢の代わりに用いられ土嚢よりも設置が容易にされる。このような止水装置では、防水布のうち床に沿った部分（底面止水部）の上側を水が流れ、直立した止水枠板に沿って設けられた部分（壁面止水部）によって止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水装置では、構成枠材が多く、設置に手間がかかうえに、非使用時に枠材をしまっておくために大きな貯蔵施設が必要になる。
【０００５】
また多くの枠材を用いる従来の止水装置は重量が大きくなり設置も難しいという問題点がある。したがって、本発明の目的は、軽量で簡単に設置することができる止水装置を提供することにある。
【課題を解決するための手段】
【０００６】
本発明の斜シート止水装置は、載置面の上に立設された壁面の開口部を止水する斜シート止水装置であって、前記載置面に対向する額縁型の底面枠と、前記開口部と対向する額縁型の背面枠と、前記底面枠の左右の前方端部と前記背面枠の左右の上方端部を結ぶ２本の斜面部材とを備え、少なくとも前記背面枠の左右の鉛直枠材と２本の前記斜面部材と前記底面枠の前方及び左右の側方の枠材の間が止水シートで覆われ、少なくとも前記背面枠の左右の鉛直枠材を覆う前記止水シートと前記壁面の間、及び前記底面枠の前方の枠材及び前記底面枠の左右の側方の枠材を覆う止水シートと前記載置面の間にシール部材を有することを特徴とする。
【０００７】
斜面部材を覆う前面の止水シートが後方へ斜めになっているので止水シートに垂直に加わる水圧の分力が水平方向に壁又は柱へ向けて掛かるとともに下方へ掛かり止水装置を下方へ加圧する。水圧による水平方向への加圧により壁または柱に接する止水装置の間が水密になる。また水圧による下方への加圧により止水装置の底部と床などの載置面の間が水密になる。そして枠材を覆う止水シートと載置面又は壁面との間のシール部材により止水効果が高まる。
【０００８】
本発明の斜シール止水装置は、斜面になった止水シートを背面で支える支持部が備えられていることを特徴とする。
【０００９】
枠材を覆う止水シートには大きな水圧が加わるので面積の大きい斜面になった止水シートを支持部が背面から支える。
【００１０】
本発明の斜水シート止水装置は、前記斜面部材と前記底面枠と前記背面枠とが互いになす角度が可変であることを特徴とする。
【００１１】
斜面部材と底面枠と背面枠とが互いになす角度が可変なので開口部の有る壁面から止水装置の置かれる載置面がスロープ状に下がっている場合にも対応可能になる。また、底面枠と背面枠とが互いになす角度も可変なので枠材を折り畳んで仕舞う際もほぼ平坦状にして収納することができる。
【００１２】
本発明の斜シート止水装置は、底面枠と、背面枠と、斜面部材とをそれぞれ構成する部材の長さが必要に応じて可変であることを特徴とする。
【００１３】
底面枠と、背面枠と、斜面部材とをそれぞれ構成する部材の長さが必要に応じて可変であるので、開口部の大きさ、壁材の具合など止水装置が置かれる場所の状況に合わせて一番合理的な大きさへ斜シート止水装置を調節することができる。
【００１４】
本発明の斜シート止水装置は、背面枠への止水シートの取り付け部に面ファスナー又は前記止水シートの端部に紐を通す紐孔が備えられることを特徴とする。
【００１５】
止水シートの端部を背面枠の枠材へ固定する際に面ファスナーを用いて簡便な取付けが可能になる。また、止水シートの端部の穴と対向する位置にある止水シートの端部の穴へ紐を通して締めることで止水シートに張力を与えて枠材へ止水シートを固定することができる。
【００１６】
本発明の斜シート止水装置は、斜シート止水装置を前記載置面へ向けて加圧する鉛直加圧部材が備えられることを特徴とする。また、加圧部材として水容器を用意してそこへ水を入れて鉛直加圧部材にすることができる。
【００１７】
斜シート止水装置を前記載置面へ向けて加圧する鉛直加圧部材が備えられるので載置面の表面状態に因らず確実な止水を行うために十分な鉛直方向の圧力がを得ることができる。鉛直加圧部材には金属やコンクリート材などの他に容器に容れた水を使うこともできる。
【００１８】
本発明の斜シート止水装置は、張力発生器が前記斜面部材の間の後方の前記載置面又は前記載置面の上に敷かれた止水シートの上に置かれ、前記張力発生器が鉛直面内で回動可能に保持される回動部と、該回動部を回動可能に支える台座部とを備え、前記回動部の前記斜面部材に近い部分が鉛直方向に加力され、前記回動部の下端部と前記斜面部材とが接続され水平方向へ張力を加えることを特徴とする。
【００１９】
張力発生器が鉛直面内で回動可能に軸支される回動部と、該回動部を回動可能に支える台座部とを備え、前記回動部の前記斜面部材に近い部分が鉛直方向に加圧され、前記回動部の下端部と前記斜面部材又は２本の前記斜面部材の間の止水シートとが接続されるので、回動部の止水シートに近い部分での下方への力を壁に向かう水平方向への力へ変換することができる。
【００２０】
本発明の斜シート止水装置は、シール部材が、弾性を有する独泡材、内部に気体を充填された弾性を有する中空材、断面がＵ字型の弾性材の何れか又はこれらの組み合わせで構成されることを特徴とする。
【００２１】
シール部材が、独泡材又は内部に気体を充填された弾性を有する中空材の何れか又はこれらの組み合わせで構成されるので床や壁又は柱の凹凸になじんで高い止水効果を得ることができる。
【００２２】
本発明の斜シート止水装置は、横方向へ隣接して置かれた複数台の斜シート止水装置のそれぞれの底面枠及び背面枠が互いに接合可能に構成されることを特徴とする。
【００２３】
横方向へ隣接して置かれた複数台の斜シート止水装置の底面枠及び背面枠が互いに接合可能に構成されるので結合された複数の枠材を幅の広い止水シートで被うことで幅の広い開口部の止水を容易に実現することができる。
【００２４】
本発明の斜シート止水方法は、載置面に立設された壁面の開口部へ前方から向かって来る水を止水する止水方法であって、後方へ倒れて前記載置面に対して斜めに置かれる止水シートを有する斜シート止水装置を前記開口部の間へ展開し、前記斜シート止水装置の左右の端部の後方部分と前記壁面の間が水密になるように水平方向へ加圧するとともに、前記斜シート止水装置の底部と前記載置面との間が水密になるように前記載置面に向けて鉛直方向へ加圧して前記開口部の止水を行うことを特徴とする。
【００２５】
斜止水シートの面に対して直角に加わる水圧を壁に向かう水平方向と載置面に向かう鉛直方向に分けることで水の圧力により効果的に止水を行うことができる。
【図面の簡単な説明】
【００２６】
【図１Ａ】斜シート止水装置の前面から見た斜視図である。
【図１Ｂ】斜シート止水装置の側面から見た斜視図である。
【図１Ｃ】斜シート止水装置の背面から見た斜視図である。
【図２】シール部材の様子を示す説明図である。
【図３】部材の長さを変える構造の説明図である。
【図４】金属又は石材を用いた鉛直加圧部材の説明図である。
【図５】水を入れた水容器を用いた鉛直加圧部材の説明図である。
【図６】張力発生器の説明図である。
【図７】床が傾斜している場合の斜シート止水装置の使い方の説明図である。
【図８】横方向へ連結可能な斜シート止水装置の枠材の構造を示す説明図である。
【図９】横方向へ連結した斜シート止水装置の様子を示す説明図である。
【発明を実施するための形態】
【００２７】
以下、本発明の実施形態を図面に基づいて説明する。図１Ａに示す本実施形態の斜シート止水装置１０は、図１Ａの左側から建物へ向かう矢印方向の水を止水して建物内部の浸水を防止するために壁や柱の間の開口部を止水するように開口部の前へ展開されて設置される。図1Ａの左側が水の侵入方向で斜シート止水装置１０の前方になり壁面が斜シート止水装置の背面又は後方になる。止水シートとしては、ターポリンと呼ばれる繊維の布を軟質の合成樹脂フィルムでサンドイッチした複合シートが好適である。
【００２８】
図1Ａに示す斜シート止水装置１０は載置面に対向する額縁型の底面枠と、開口部と対向する額縁型の背面枠と、底面枠の左右の前方端部と前記背面枠の左右の上方端部を結ぶ２本の斜面部材を備えている。そして、少なくとも前記背面枠の左右の鉛直枠材と２本の斜面部材と底面枠の前方及び左右の側方の枠材の間を止水シートで覆い水の侵入を防ぐ。また、少なくとも前記背面枠１の左右の鉛直枠材を覆う前記止水シートと前記壁面の間、及び前記底面枠の前方の枠材及び前記底面枠の左右の側方の枠材を覆う止水シートと床などの前記載置面の間にシール部材を挟む。シール部材は斜シート止水装置と壁面や床面の凹凸による隙間を埋めて止水効果を高める。
【００２９】
図1Ａに示す斜シート止水装置１０の骨格をなす部材は必要に応じてその長さを変えられるように額縁型を構成する部材の枠材や斜面部材ごとに接合部７１〜８４を有している。設置環境に応じて不要な接合部を持たない固定長の部材を用いてもよいことはもちろんである。
【００３０】
底面枠２と背面枠１とは後述する蝶番により接続されて互いになす角度が可変になるように構成されている。また、底面枠の左右の前方端部と背面枠の左右の上方端部を結ぶ２本の斜面部材３０，３１が回動可能にネジ６０〜６３により軸支されるとともに接合部７５，７６を有して斜面部材３０，３１の長さを可変にすることで底面枠２と背面枠１の互いになす角度を変えることが容易にできる。
【００３１】
図１Ｂは斜シート止水装置の側面図である。底面枠２と背面枠１とが下にＵ字の形で用いられる蝶番９で接続される。この際、底面枠２と背面枠１の枠材の間に隙間が有るので蝶番９が閉まった状態からさらに底面枠２はその左端を下方へ若干下げて、背面枠１と底面枠２とがなす角度を１００度くらいまでにすることができる。
【００３２】
底面枠２の前側端部と背面枠１の上端部に斜面部材３０の両端部がそれぞれネジ６０，６２で軸支されるのでネジ６０，６２を緩めることで斜面部材３０と底面枠２及び背面枠１とが互いになす角度を変えることができる。斜面部材３０には接合部７５が設けられており斜面部材の長さを可変にすることができる。ネジ６０又はネジ６２を外すと蝶番９により背面枠１は底面枠２に繋がれたまま被さるように折り畳むことができる。
【００３３】
止水シート８は止水シートのシート面へ直角にかかる水圧Ｐｗによって図１Ｂの右下方向へ押される。水圧Ｐｗを支える額縁型の支持部４を背面枠１の下部へ蝶番で接続して上端部を止水シート８の三分の一くらいの中間部へ当てる。支持部４の上端部は止水シートの端部又は背面枠の上部の横枠材へ紐９０などで接続して保持する。また、支持部はその大きさが底面枠２の中に納まるようにすることで収納時に底面枠の大きさの中に収めることができる。
【００３４】
斜シート止水装置により水が止められると止水シートへ掛かる水圧は斜シート止水装置の排斥している水の重量により決まる。水圧は止水シートの水につかっている部分に対し深さに応じた水圧を止水シートへ直角に加える。水による力の大きさをＰｗとすると止水シートには止水シートの面に対して垂直にＰｗが加わる。Ｐｗによる力Ｆｗは水平方向の分力Ｆｈと鉛直方向の分力Ｆｐに分けることができる。水平方向の分力Ｆｈにより斜シート止水装置は壁に向かって押され、鉛直方向の分力Ｆｐによって載置面に向かって押される。
【００３５】
止水シート１に水平に加わる力Ｆｈによって、止水シート８は後方へ押されるので背面枠１の鉛直枠材と壁又は柱との間に置かれるシール部材を圧縮する。ここでシール部材と壁面の間へ水が出入りすると水圧が加わり斜シート止水装置１０を壁又は柱から離すように作用するので水が出入りしないように斜シート止水装置１０を水壁又は柱へ押し付けることが必要になる。水圧の水平分力では不足な場合は後述する張力発生器を用いて壁方向へ斜シート止水装置を壁面へ押し付けて止水効果を高める。
【００３６】
図1Ｃは斜シート止水装置１０の背面からの斜視図である。背面枠１の後へ回り込んだ止水シートの端部には紐を通す穴１２〜１５が設けられている。これらの穴に紐を通して締めつけることで止水シートを枠材へ固定することができる。また、止水シートの端部へ面ファスナーを設けることで枠の枠材に止水シートを巻き付けて止水シートを背面枠１へ固定することができる。
【００３７】
支持部４は底面枠２へ蝶番７，７により接続されるので底面枠に対して自由な角度で保持することができる。支持部４の上部の横枠材と止水シートの穴１３へ紐を通して支持部を適宜な位置で保持することができる。
【００３８】
止水のために使用する際に水平方向へ展開される斜シート止水装置は、その両端部を開口部を形成する柱や壁に当たるよう床や地面へ置かれる。底面枠２が接する床面や背面枠１が接する壁面には凹凸があるのでその凹凸を埋めて止水するためにシール部材が使われる。
【００３９】
図２に示すシール部材は、枠材２０との間に止水シート８を挟んで枠材２０へ固定される。シール部材の固定には接着が好適である。シール部材の構成は弾性を有する独泡材２２、内部に気体を充填された弾性を有する中空材、断面がＵ字型の弾性材２１の何れか又はこれらの組み合わせで構成する。弾性を有する独泡材２２に図２にあるように内部に気体を充填された弾性を有する中空材、断面がＵ字型の弾性材２１などを組み合わせることで止水効果が高まることを確認したが、床面が平坦な場合には独泡材２１のみでもよい。また、内部に気体を充填された弾性を有する中空材は自転車のチューブのようなもので床面や壁材の凹凸に沿って変形する。
【００４０】
斜シート止水装置の背面枠１の鉛直枠材と壁面の間に置かれる止水シート、底面枠２の前面部と側面部の枠材と床面の間に置かれる止水シートに予めシール部材を固定しておくと斜シート止水装置の設置が容易になる。
【００４１】
図３を用いて枠材の長さを可変にする構成を説明する。枠材は剛性のある材料で作成される。木材、プラスチック、金属などを用いる。市販品を使う点で金属の断面四角の中空角材、例えばアルミニウム製の角パイプが好適である。太い角パイプ３２０、３３０の間に太い角パイプの内寸法に納まる外寸法を有する細い角パイプ３１０を挿入する。太い角パイプ３００の一面の長手方向へ長穴３４０を設ける。そこへ蝶ネジを挿入して一端の近傍に雌ネジを刻んだ細い角パイプと螺合する。細い角パイプの他端は太い角パイプ３２０へ固定される。必要な長さになった点で蝶ネジを締めて太い角パイプ３００と細い角パイプ３１０を固定する。枠材の長さを可変にするには様々な技術があるがそれを用いて斜シート止水装置を構成することでいろいろな設置条件へ柔軟に対応することできるようになった。
【００４２】
斜シート止水装置１０の底面枠の下の止水シートと床面又は地面との間には止水用にシール部材を用いるがシール部材が床面又は地面の凹凸を吸収して水密になるにはシール部材を所定の圧力で加圧する必要がある。斜シート止水装置１０と載置面との間に侵入した水は斜シート止水装置１０を上へ持ち上げるので水に接する斜シート止水装置１０の前面及び側面の枠材と床面の間の水密状態が重要になる。
【００４３】
斜シート止水装置に迫る水の水位が低い場合は水圧が小さいので斜シート止水装置を下方へ押す力が弱く、底面枠のシール部材がうまく機能しない場合がある。底面枠２と床面又は地面との間のシール部材には、斜シート止水装置１０の自重による力Ｆｓ，水圧による力Ｆｗの下方への分力Ｆｐが加わる。自重による力Ｆｓ，水圧による力Ｆｐでシール部材への加圧が不足する場合は鉛直加圧部材４１を用いる。
【００４４】
図４は鉛直加圧部材の実施例で、図４は鉛直加圧部材として金属やコンクリートを用いた場合である。図５は水容器へ水を蓄えて鉛直加圧部材とした例である。何れも底面枠を下方へ加圧して底面枠と床面の間のシール部材を加圧して止水効果を高めることができる。
【００４５】
重力の働く場所での鉛直方向への加圧は容易であるが、水平方向へは力の向きの変換が必要になる。図６は斜の止水シートを壁面へ張力を与える張力発生器である。鉛直面内で回動可能に回動部５０を軸支する軸５１は支持柱５３と台座５２からなる台座部５２により支えられる。台座５２は、設置面や設置面の上の止水シートの上に置かれ水平方向の力を斜シート止水装置から受けないように構成される。
【００４６】
図６に示すように回動部５０の止水シートに近い左端で下方へ重力Ｗを加える。また、回動部の下端は斜めの斜面部材３０、３１や２本の斜面部材３０，３１の間の止水シートへ紐５４などで接続される。回動部は重力Ｗにより時計方向へ回転しようとするが回動部の下端は斜面部材３０、３１や２本の斜面部材３０，３１の間の止水シートへ接続されているので斜シート止水装置全体に壁方向の張力を加えることになる。ここで、軸５１から重力Ｗを加える場所までの距離Ｒｗを軸５１から紐５４を接続する場所までの距離Ｒｆよりも大きく取ることで梃子の原理で水平方向への張力がＦ＝Ｗ×Ｒｗ／Ｒｆとなる。なお、回動部は必ずしも円盤でなくてもよくＬ字型の部材などを使えることは勿論である。
【００４７】
図7は斜シート止水装置が置かれる床面が開口部の有る壁面に対して直角でない場合へ対応する状態を示している。底面枠２は背面枠１との間を蝶番９で接続されており蝶番は下へＵ字型に取り付けられるが底面枠２と背面枠１の枠材の間に隙間が有るので底面枠２と背面枠１とのなす角度を１００度くらいまで増やすことができる。床面の傾斜をカバーするには十分に余裕があるので床面が傾いている設置場所への対応が可能になる。
【００４８】
このように傾斜した床面へ斜シート止水装置を設置するには底面枠２と背面枠１の角度を９０度以上にするために、斜面部材３１の長さを延ばすことと斜面部材３１と底面枠２のなす角度θ１及び斜面部材３１と背面枠1のなす角度θ２を、ネジ６０，６１を緩め所定の角度でネジを締めることで実現する。
【００４９】
止水する開口部の幅が広い場合は複数の斜シート止水装置を横方向へ連結して対応することができる。図８に横方向へ連結可能な斜シート止水装置を示す。単体型と異なるのは斜面部材１３０と底面枠１０２及び背面枠１０１との接続に接続枠材１３１４を用いている点である。
【００５０】
背面枠１０１及び底面枠１０２の水平枠材として角パイプを用い、その内寸へ挿入可能な接続用の細い角パイプ１３１１、１３１２，１３１３を用いて隣接する斜シート止水装置と連結する。細い角パイプ１３１１、１３１２，１３１３には所定の位置にネジ穴が刻んであり、そこへ背面枠及び底面枠の水平枠材に開けた穴から蝶ネジ１３１５を差し込んでネジ止めして固定する。
【００５１】
図9は3個の斜シート止水装置を連結する様子を示している。隣接する斜シート止水装置は３か所で固定されるので大きな水圧にも耐えることができる。
【００５２】
斜シート止水装置の撤去は、設置と逆の手順で撤去すればよい。止水シートを紐で固定している場合は紐を外し、下方への加圧に重りを用いている場合は重りを除去する。斜面部材３０，３１を止めているネジを外して支持部４を折りたたんで収納する。
【００５３】
なお、本発明は、前記実施形態に限定されるものではなく、本発明の目的が達成できる他の構成等を含み、以下に示すような変形等も本発明に含まれる。
【００５４】
また、前記実施形態では、シール部材として独立気泡の柔軟な材料、弾性を有する独包材や内部に気体を充填された弾性を有する中空材などを用いたが、ポリブテン樹脂及び合成樹脂接着剤を基材とするパテでも良い。シール部材は、加圧されることで変形して対象物に密着するとともに、変形後の形状を維持するような性質を有していればよく、例えば、軟性を有する（硬化剤を含まない）その他の樹脂粘土等であってもよいし、発泡ウレタン等の発泡性の材料であってもよい。即ち、底面枠の枠材の床に接する面に沿うようにスプレーによって発泡ウレタンを設け、そこへ止水装置を載せることで止水手段としてもよい。
【００５５】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した枠材の名称での記載は、本発明に含まれるものである。
【符号の説明】
【００５６】
１  背面枠
２  底面枠
４  支持部
７  蝶番
８  止水シート
９  蝶番
１２，１３，１４，１５  止水シート端部の紐用の穴
１０  斜シート止水装置
２０  枠材
２１  Ｕ字型シール部材
２２  独泡シール部材
４０  鉛直加圧部材の台
４２  水容器
５２  台座
５３  支持柱
５１  軸
５４  張力印加用の紐
５５  重り
６０，６１，６２，６３  止めネジ
７１，７２，７３，７４  底面枠２の接合部
７５，７６              斜面部材３０，３１の接合部
７７，７８，７９，８０  背面枠１の接合部
８１，８２，８３，８４  支持部４の接合部
９０  支持部の保持用の紐
１０１  背面枠
１０２  底面枠
１０４  支持部
１３０，１３１  斜面部材
１３１１，１３１２，１３１４  結合用枠材
１３１５  蝶ネジ
【図１Ａ】
2019206840.tif 000003
【図１Ｂ】
2019206840.tif 000004
【図１Ｃ】
2019206840.tif 000005
【図２】
2019206840.tif 000006
【図３】
2019206840.tif 000007
【図４】
2019206840.tif 000008
【図５】
2019206840.tif 000009
【図６】
2019206840.tif 000010
【図７】
2019206840.tif 000011
【図８】
2019206840.tif 000012
【図９】
2019206840.tif 000013